(57)【要約】【課題】  発信元情報が偽装された場合であっても、操作者に混乱を生じさせないように識別情報を限られたエリアに有効に表示することのできる携帯電話機を提供することを目的とする。【解決手段】  制御部３は、無線部４により受信したメールもしくはＳＭＳをメールＤＢ７に記憶し、記憶したメールやＳＭＳのうち電話番号もしくはメールアドレス等のリンク対象情報を電子メール解析部５により抽出し、電話帳ＤＢ６の登録情報に基づいてリンク対象情報に一致する登録内容を、表示部１に表示したメールやＳＭＳのうち電話番号もしくはメールアドレス等のリンク対象情報の表示部分にポインタが当てられた際に、メールもしくはＳＭＳの表示画面上にポップアップ表示する。【選択図】        図１
2009060354.tif 000002
【特許請求の範囲】
【請求項１】
文字情報を送受信する無線部と、
この無線部で受信した文字情報を表示する表示部と、
発信元識別情報を予め記憶する記憶部と、
この記憶部に記憶した前記発信元識別情報に基づいて、前記無線部で受信した前記文字情報に含まれるリンク対象情報を識別して、識別結果又は前記識別結果に関連する情報を前記表示部に表示する制御部とを備えた携帯電話機。
【請求項２】
記憶部は、本携帯電話機の外部に備えたことを特徴とする請求項１に記載の携帯電話機。
【請求項３】
発信元識別情報は、無線部で受信した文字情報に含まれるリンク対象情報を拒否するか否か、または、警告を発するか否かの情報を含むことを特徴とする請求項１又は請求項２に記載の携帯電話機。
【請求項４】
制御部は、無線部で受信した文字情報の表示画面上に、識別結果又は識別結果に関連する情報をポップアップ表示することを特徴とする請求項１乃至請求項３のいずれかに記載の携帯電話機。
【発明の詳細な説明】
【技術分野】
【０００１】
本発明は、電子メールやＳＭＳ（Ｓｈｏｒｔ  Ｍｅｓｓａｇｅ  Ｓｅｒｖｉｃｅ）等の文字情報を受信可能な機能を備え、受信した情報を表示部に表示可能な携帯電話機に関する。
【０００２】
従来、電子メールやＳＭＳ等で受信した情報を携帯電話機の表示部に表示する場合、受信した情報をそのまま表示部に表示し、場合によって特定の文字列に対してはリンク（特定の文字列とは、電話番号もしくは電子メールアドレス等であり、例えば電話番号に対しては発信操作を行うためのリンク）を付加していた。
【０００３】
しかし、このリンク先が携帯電話機の操作者にとって安全なリンク先であるかどうかの判断は電子メールやＳＭＳ等に付加される発信元情報（電子メールの場合は発信者（Ｆｒｏｍフィールド））が唯一の頼りであり、この情報を元に発信者を表示するようなものもあった（例えば、特許文献１参照）。
【０００４】
【特許文献１】特開平１０−１５５０３８号公報（００２３〜００２８段、図２）
【発明の開示】
【発明が解決しようとする課題】
【０００５】
しかしながら、上記従来の携帯電話機では、発信元情報が偽装された場合、このリンク先が携帯電話機の操作者にとって安全なリンク先であるかどうかを正しく判断することができないだけでなく、発信元情報やリンク先等の情報となるリンク対象情報を表示すること自体が携帯電話機の操作者の混乱を招くという問題があった。
【０００６】
また、携帯電話機の表示部の限られたエリアに、発信元情報やリンク先等以外の情報を有効に表示することが困難であるという問題もあった。
【０００７】
本発明は、上記のような問題を解消するためになされたものであり、発信元情報が偽装された場合であっても、操作者に混乱を生じさせないように識別情報を限られたエリアに有効に表示することのできる携帯電話機を提供することを目的とする。
【課題を解決するための手段】
【０００８】
本発明に係る携帯電話機は、文字情報を送受信する無線部と、無線部で受信した文字情報を表示する表示部と、発信元識別情報を予め記憶する記憶部と、記憶部に記憶した発信元識別情報に基づいて、無線部で受信した文字情報に含まれるリンク対象情報を識別して、識別結果又は識別結果に関連する情報を表示部に表示する制御部とを備えたものである。
【発明の効果】
【０００９】
本発明によれば、記憶部に記憶する前記情報に基づいて、無線部で受信した文字情報に含まれるリンク対象情報を識別して、識別結果又は識別結果に関連した情報である識別情報を表示部に表示することにより、情報が信用できるかどうかを判断可能とするための情報を携帯電話機の操作者に提示するこができる。
【発明を実施するための最良の形態】
【００１０】
以下、本発明に係る携帯電話機の各種実施の形態について、図面に基づいて説明する。
実施の形態１．
図１は、本実施の形態１における携帯電話機１００の構成を示すブロック図である。本実施の形態の携帯電話機１００は、表示部１、入力部２、制御部３、無線部４、電子メール解析部５、記憶部としての電話帳ＤＢ（Ｄａｔａ  Ｂａｓｅ）６、及び電子メールＤＢ７から構成されている。
【００１１】
表示部１は電子メールやＳＭＳの内容等を表示する表示部であり、入力部２はテンキーやポインタ操作のためのデバイスである。制御部３は携帯電話機１００を制御し、無線部４により基地局との無線通信を行い、文字情報等を送受信する。電子メール解析部５は文字情報としての電子メールやＳＭＳの内容を解析し発信元情報やリンク対象情報等を抽出する。
【００１２】
図２に、電話帳ＤＢ６の構成例を示す。電話帳ＤＢ６は、図２に示すとおり、発信元識別情報として名前フィールド２００と電話番号フィールド２０１と電子メールアドレスフィールド２０２を最低限持つ。電子メールＤＢ７は、無線部４で受信した文字情報等を保存する。
【００１３】
次に、図３のフローチャートに従い、本実施の形態１における携帯電話機１００の識別情報を表示部に表示する動作について説明する。まず、携帯電話機１００が、無線部４により電子メールもしくはＳＭＳを受信すると（Ｓ３００）、制御部３は受信した電子メールもしくはＳＭＳを電子メールＤＢ７に保存する。
【００１４】
続いて、制御部３は、受信した電子メールもしくはＳＭＳを表示部１へ表示する際に、電子メール解析部５で電子メールもしくはＳＭＳの内容を解析し、電子メールもしくはＳＭＳ内に記述された電話番号もしくは電子メールアドレス等のリンク対象情報を検索し（Ｓ３０１）、リンク対象情報の有無を判断する（Ｓ３０２）。検索方法は、電話番号もしくは電子メールアドレスにある特徴的な文字列等の抽出により行う。
【００１５】
電話番号もしくは電子メールアドレス等のリンク対象情報が電子メールもしくはＳＭＳ内で発見されなかった場合は、制御部３は電話番号もしくは電子メールアドレス等のリンク対象情報がなかったと判断し、処理を終了する。
【００１６】
電話番号もしくは電子メールアドレス等のリンク対象情報が電子メールもしくはＳＭＳ内で発見された場合は、次いで、制御部３は電話番号もしくは電子メールアドレスが携帯電話機１００内の電話帳ＤＢ６に登録されているか否かの検索を行い（Ｓ３０３）、登録の有無を判断する（Ｓ３０４）。
【００１７】
Ｓ３０４において、発見された電話番号もしくは電子メールアドレス等のリンク対象情報が電話帳ＤＢ６に登録されていた場合は、制御部３は該当する登録内容を取得し（Ｓ３０５）、入力部２のポインタ操作により表示部１に表示された電子メールやＳＭＳのうち電話番号もしくは電子メールアドレス等のリンク対象情報の表示部分にポインタが当てられた際に、その電話番号もしくは電子メールアドレス等の登録内容を、表示部１により電子メールもしくはＳＭＳの表示画面上にポップアップ表示する（Ｓ３０６）。
【００１８】
発見された電話番号もしくは電子メールアドレス等のリンク対象情報が電話帳ＤＢ６に登録されていなかった場合は、制御部３は該当する登録はなしと判断し、入力部２のポインタ操作により表示部１に表示された電子メールやＳＭＳのうち電話番号もしくは電子メールアドレス等のリンク対象情報の表示部分の上部にポインタがあてられた際に、電話帳ＤＢ６に該当する登録がない旨の表示画面を、表示部１により電子メールもしくはＳＭＳの表示画面上にポップアップ表示する（Ｓ３０７）。
【００１９】
図４および図５は、携帯電話機１００の外観正面図であり、本実施の形態１の表示例を示す。携帯電話機１００は、ＬＣＤ（Ｌｉｑｕｉｄ  Ｃｒｙｓｔａｌ  Ｄｉｓｐｌａｙ）に代表される表示部１と、テンキー、方向キーやポインタ操作デバイス等の入力部２を持ち、表示部１上に電子メールもしくはＳＭＳの内容を表示することができる。また、必要に応じてポインタ１ａを表示部１上に表示する。
【００２０】
図４は、該当する登録がある場合の表示例であり、図４（ａ）は表示部１に表示された電話番号の表示部分１ｂにポインタ１ａをあてる前、図４（ｂ）はあてた後の表示例を示す。図４（ｂ）に示すように、ポインタ１ａを電話番号の表示部分１ｂに当てると、登録内容の表示画面１ｃが電子メールの表示画面上にポップアップ表示される。ここでは、登録内容の表示画面１ｃにこのリンク対象情報について電話帳ＤＢ６に登録されている名前を表示している。
【００２１】
図５は、該当する登録がない場合の表示例であり、図５（ａ）は表示部１に表示された電話番号の表示部分１ｂにポインタ１ａをあてる前、図５（ｂ）はあてた後の表示例を示す。図５（ｂ）に示すように、ポインタ１ａを電話番号の表示部分１ｂに当てると、登録がない旨の表示画面１ｄが電子メールの表示画面上にポップアップ表示される。
【００２２】
このように、表示部１に表示された電子メールやＳＭＳのうち電話番号もしくは電子メールアドレス等のリンク対象情報の表示部分１ｂにポインタ１ａを当て、フォーカスを設定する際に、相当する表示内容の表示画面１ｃ、１ｄが表示されることにより、電話帳ＤＢ６の登録内容との関係を容易に把握することができる。
【００２３】
以上のように、本実施の形態１では、制御部３により電話帳ＤＢ６の登録情報に基づいて無線部４で受信した電子メールやＳＭＳのうち電話番号もしくは電子メールアドレス等に一致するリンク対象情報の登録内容を表示部１に表示するようにしたので、リンク対象情報が信用できるかどうかを判断可能とするための情報を携帯電話機の操作者に提示するこができる。
【００２４】
また、表示部１に表示した電子メールやＳＭＳのうち電話番号もしくは電子メールアドレス等のリンク対象情報の表示部分１ｂにポインタ１ａが当てられた際に、電子メールの表示画面上にポップアップ表示するようにしたので、この情報を携帯電話機の限られた表示部に効果的に表示することができる。
【００２５】
実施の形態２．
実施の形態１の携帯電話機１００においては、電子メールやＳＭＳのうち電話番号もしくは電子メールアドレス等のリンク対象情報と一致する電話帳ＤＢ６の登録内容を表示する場合について示した。実施の形態２では、登録内容と一致するか否かについて示す場合について示す。
【００２６】
実施の形態２における構成に関しては、本実施の形態１の図１と同様であり、その説明を省略する。実施の形態２における携帯電話機１０１の動作については、図６のフローチャートに示す。
【００２７】
Ｓ６０３において電話帳ＤＢ６に送信者に関する情報が登録されているか否かを、電子メールやＳＭＳの発信元情報を元に検索を行う。Ｓ６０４において、電話帳ＤＢ６に送信者に関する情報が登録されており、なおかつ、発見された電話番号もしくは電子メールアドレス等のリンク対象情報がその登録内容と一致している場合は、制御部３は電話帳ＤＢ６の登録内容と一致していると判断し、入力部２のポインタ操作により表示部１に表示された電子メールやＳＭＳのうち電話番号もしくは電子メールアドレス等のリンク対象情報の表示部分にポインタが当てられた際に、電話帳ＤＢ６に登録されている情報と一致する旨の表示画面を、表示部１により電子メールもしくはＳＭＳの表示画面上にポップアップ表示する（Ｓ６０５）。
【００２８】
電話帳ＤＢ６に送信者に関する情報が登録されていなかった場合、もしくは、登録されているが発見された電話番号もしくは電子メールアドレス等のリンク対象情報がその登録内容と一致していない場合は、制御部３は電話帳ＤＢ６の登録内容と一致していないと判断し、入力部２のポインタ操作により表示部１に表示された電子メールやＳＭＳのうち電話番号もしくは電子メールアドレス等のリンク対象情報の表示部分の上部にポインタがあてられた際に、電話帳ＤＢ６の登録内容と一致していない旨の表示画面を、表示部１により電子メールもしくはＳＭＳの表示画面上にポップアップ表示する（Ｓ６０６）。
【００２９】
その他の動作に関しては、実施の形態１と同様であり、その説明を省略する。
【００３０】
図７および図８は、携帯電話機１０１の外観正面図であり、本実施の形態２の表示例を示す。図７は、電話帳ＤＢ６に送信者に関する登録がなされており、なおかつ、発見された電話番号もしくは電子メールアドレス等のリンク対象情報がその登録内容と一致している場合の表示例であり、図７（ａ）は表示部１に表示された電話番号の表示部分１ｂにポインタ１ａをあてる前、図７（ｂ）はあてた後の表示例を示す。図７（ｂ）に示すように、ポインタ１ａを電話番号の表示部分１ｂに当てると、一致する旨の表示画面１ｅが電子メールの表示画面上にポップアップ表示される。
【００３１】
図８は、電話帳ＤＢ６に送信者に関する情報が登録されていなかった場合、もしくは、登録されているが発見された電話番号もしくは電子メールアドレス等のリンク対象情報がその登録内容と一致していない場合の表示例であり、図８（ａ）は表示部１に表示された電話番号の表示部分１ｂにポインタ１ａをあてる前、図８（ｂ）はあてた後の表示例を示す。図８（ｂ）に示すように、ポインタ１ａを電話番号の表示部分１ｂに当てると、一致しない旨の表示画面１ｆが電子メールの表示画面上にポップアップ表示される。
【００３２】
以上のように、本実施の形態２では、制御部３により電話帳ＤＢ６の登録情報に基づいて表示部１に表示した電子メールやＳＭＳのうち電話番号もしくは電子メールアドレス等のリンク対象情報が電話帳ＤＢ６に登録されている送信者に関する内容と一致するか否かを表示するようにしたので、リンク対象情報が信用できるかどうかの情報を携帯電話機の操作者に提示するこができ、操作者は電子メールもしくはＳＭＳの発信者偽装について容易に判断することができる。
【００３３】
実施の形態３．
実施の形態２の携帯電話機１０１においては、電子メールやＳＭＳのうち電話番号もしくは電子メールアドレス等のリンク対象情報と電話帳ＤＢ６に登録されている送信者に関する内容と一致するか否かを表示する場合について示した。実施の形態３では、予め登録する迷惑電子メール業者等の電話番号もしくは電子メールアドレス等のリンク対象情報と一致するか否かについて表示する場合について示す。
【００３４】
図９は、本実施の形態３における携帯電話機１０２の構成を示すブロック図である。図９に示すように、本実施の形態３は、実施の形態１における携帯電話機１００に迷惑電子メール業者等の電話番号もしくは電子メールアドレス等のリンク対象情報を、拒否するか否かを判断する情報として記憶する記憶部としての警告対象宛先ＤＢ８を更に備えたものである。その他の構成に関しては、実施の形態１と同様であり、相当部分には図１と同一符号を付して説明を省略する。
【００３５】
図１０に、警告対象宛先ＤＢ８の構成例を示す。警告対象宛先ＤＢ８は、少なくとも発信元識別情報としての電話番号のリスト（図１０（ａ））及び電子メールアドレスのリスト（図１０（ｂ））の情報を持つ。これらの情報は、予め操作者により警告対象宛先ＤＢ８に、入力部２を用いて入力されるか、無線部４を用いてネットワークを介してダウンロードされる。
【００３６】
次に、図１１のフローチャートに従い、本実施の形態３における携帯電話機１０２の識別情報を表示部に表示する動作について説明する。まず、携帯電話機１０２が、無線部４により電子メールもしくはＳＭＳを受信すると（Ｓ１１００）、制御部３は受信した電子メールもしくはＳＭＳを電子メールＤＢ７に保存する。
【００３７】
続いて、制御部３は、受信した電子メールもしくはＳＭＳを表示部１へ表示する際に、電子メール解析部５で電子メールもしくはＳＭＳの内容を解析し、電子メールもしくはＳＭＳ内に記述された電話番号もしくは電子メールアドレス等のリンク対象情報を検索し（Ｓ１１０１）、リンク対象情報の有無を判断する（Ｓ１１０２）。検索方法は、電話番号もしくは電子メールアドレスにある特徴的な文字列等の抽出により行う。
【００３８】
電話番号もしくは電子メールアドレス等のリンク対象情報が電子メールもしくはＳＭＳ内で発見されなかった場合は、制御部３は電話番号もしくは電子メールアドレス等のリンク対象情報がなかったと判断し、処理を終了する。
【００３９】
電話番号もしくは電子メールアドレス等のリンク対象情報が電子メールもしくはＳＭＳ内で発見された場合は、次いで、制御部３は電話番号もしくは電子メールアドレスが携帯電話機１０２内の警告対象宛先ＤＢ８に登録されているか否かの検索を行い（Ｓ１１０３）、登録の有無を判断する（Ｓ１１０４）。
【００４０】
Ｓ１１０４において、発見された電話番号もしくは電子メールアドレス等のリンク対象情報が警告対象宛先ＤＢ８に登録されていた場合は、制御部３は警告対象宛先ＤＢ８の登録内容と一致していると判断し、入力部２のポインタ操作により表示部１に表示された電子メールやＳＭＳのうち電話番号もしくは電子メールアドレス等のリンク対象情報の表示部分にポインタが当てられた際に、迷惑電子メール等のリンク対象情報である旨の警告の表示画面を、表示部１により電子メールもしくはＳＭＳの表示画面にポップアップ表示する（Ｓ１１０５）。
【００４１】
図１２は、携帯電話機１０２の外観正面図であり、本実施の形態３の表示例を示す。図１２は、警告対象宛先ＤＢ８に一致する登録がある場合の表示例であり、図１２（ａ）は表示部１に表示された電話番号の表示部分１ｂにポインタ１ａをあてる前、図１２（ｂ）はあてた後の表示例を示す。図１２（ｂ）に示すように、ポインタ１ａを電話番号の表示部分１ｂに当てると、警告を表現する旨の表示画面１ｇが電子メールの表示画面にポップアップ表示される。
【００４２】
発見された電話番号もしくは電子メールアドレス等のリンク対象情報が警告対象宛先ＤＢ８に登録されていなかった場合は、制御部３は警告対象宛先ＤＢ８の登録内容と一致していないと判断し、続いて、電話帳ＤＢ６に送信者に関する情報が登録されているか否かを、電子メールやＳＭＳの発信元情報を元に検索を行い（Ｓ１１０６）、電話帳ＤＢ６に登録されており、なおかつ、発見された電話番号もしくは電子メールアドレス等のリンク対象情報がその登録内容と一致しているかどうかの判定を行う（Ｓ１１０７）。
【００４３】
Ｓ１１０７において、電話帳ＤＢ６に送信者に関する情報が登録されており、なおかつ、発見された電話番号もしくは電子メールアドレス等のリンク対象情報がその登録内容と一致している場合は、制御部３は電話帳ＤＢ６の登録内容と一致していると判断し、入力部２のポインタ操作により表示部１に表示された電子メールやＳＭＳのうち電話番号もしくは電子メールアドレス等のリンク対象情報の表示部分にポインタが当てられた際に、電話帳ＤＢ６に登録されている情報と一致する旨の表示画面を、表示部１により電子メールもしくはＳＭＳの表示画面にポップアップ表示する（Ｓ１１０８）。
【００４４】
電話帳ＤＢ６に送信者に関する情報が登録されていなかった場合、もしくは、登録されているが発見された電話番号もしくは電子メールアドレス等のリンク対象情報がその登録内容と一致していない場合は、制御部３は電話帳ＤＢ６の登録内容と一致していないと判断し、入力部２のポインタ操作により表示部１に表示された電子メールやＳＭＳのうち電話番号もしくは電子メールアドレス等のリンク対象情報の表示部分の上部にポインタがあてられた際に、電話帳ＤＢ６の登録内容と一致していない旨の表示画面を、表示部１により電子メールもしくはＳＭＳの表示画面にポップアップ表示する（Ｓ１１０９）。
【００４５】
ここで、図１１のフローチャートにおいては、警告対象宛先ＤＢ８での検索後に電話帳ＤＢ６での検索を行っているが、先に電話帳ＤＢ６での検索を行ってもよい。また、Ｓ１１０７では電話帳ＤＢ６の登録内容と一致しているか否かを判断し、表示する場合について示したが、登録内容を表示するようにしてもよい。
【００４６】
以上のように、本実施の形態３では、制御部３により警告対象宛先ＤＢ８の登録情報に基づいて表示部１に表示した電子メールやＳＭＳのうち電話番号もしくは電子メールアドレス等のリンク対象情報が警告対象宛先ＤＢ８の登録内容と一致するか否かを判断し、一致した場合に警告を表示するようにしたので、リンク対象情報が信用できるかどうかの情報を携帯電話機の操作者に精度よく提示するこができる。
【００４７】
なお、本実施の形態では、図１及び図９において電話帳ＤＢ６、電子メールＤＢ７や警告対象宛先ＤＢ８が携帯電話機内にある構成としているが、必ずしも携帯電話機内にある必要はなく、携帯電話機外のネットワーク上に存在しても。また、携帯電話機内および携帯電話機外のネットワーク上の双方に存在していても良い。この場合、必要に応じて無線部４からネットワークへ接続しネットワーク上に存在する電話帳ＤＢ６、電子メールＤＢ７や警告対象宛先ＤＢ８から情報を取得する。
【００４８】
また、本実施の形態では、表示部１上に表示された電子メールもしくはＳＭＳの内容の一部にポインタ１ａを当て、フォーカスを設定する場合について示したが、ポインタ１ａを用いずにテンキーや方向キーを用いて電子メールもしくはＳＭＳ内に記述された電話番号もしくは電子メールアドレスに対してフォーカスを設定することも可能である。
【００４９】
また、本実施の形態では、表示部１へ表示する際に、受信した電子メールもしくはＳＭＳの内容を電子メール解析部５で解析する場合について示したが、受信した電子メールもしくはＳＭＳを電子メールＤＢ７に保存する際に、電子メール解析部１０５で内容を解析し、その結果を含めて電子メールＤＢ７に保存する方法でもよい。
【図面の簡単な説明】
【００５０】
【図１】本発明に係る携帯電話機の実施の形態１および２の構成を示すブロック図である。
【図２】本発明に係る携帯電話機の実施の形態１、２および３の電話帳ＤＢの一例を示す。
【図３】本発明に係る携帯電話機の実施の形態１の動作手順を示すフローチャート図である。
【図４】本発明に係る携帯電話機の実施の形態１の表示画面の表示例を示す。
【図５】本発明に係る携帯電話機の実施の形態１の表示画面の表示例を示す。
【図６】本発明に係る携帯電話機の実施の形態２の動作手順を示すフローチャート図である。
【図７】本発明に係る携帯電話機の実施の形態２の表示画面の表示例を示す。
【図８】本発明に係る携帯電話機の実施の形態２の表示画面の表示例を示す。
【図９】本発明に係る携帯電話機の実施の形態３の構成を示すブロック図である。
【図１０】本発明に係る携帯電話機の実施の形態３の警告対象宛先ＤＢの一例を示す。
【図１１】本発明に係る携帯電話機の実施の形態３の動作手順を示すフローチャート図である。
【図１２】本発明に係る携帯電話機の実施の形態３の表示画面の表示例を示す。
【符号の説明】
【００５１】
１  表示部
３  制御部
４  無線部
６  電話帳ＤＢ
８  警告対象宛先ＤＢ
１００、１０１、１０２  携帯電話機
【図１】
2009060354.tif 000003
【図２】
2009060354.tif 000004
【図３】
2009060354.tif 000005
【図４】
2009060354.tif 000006
【図５】
2009060354.tif 000007
【図６】
2009060354.tif 000008
【図７】
2009060354.tif 000009
【図８】
2009060354.tif 000010
【図９】
2009060354.tif 000011
【図１０】
2009060354.tif 000012
【図１１】
2009060354.tif 000013
【図１２】
2009060354.tif 000014